(57)【要約】【課題】既に入力した振込みデータの内容を確認してから以降の振込みデータを行うことで誤入力を減少させ、訂正時間を短縮させる。【解決手段】振込みに必要な全ての振込みデータが入力部６から入力される前の段階で、表示部３の振込みデータ表示エリアの各項目位置に入力された振込みデータを画面編集部５で編集して表示する。訂正のためにそれまで表示された項目の１つが指定されると、表示制御部４が画面記憶部２からデータを読出して表示部３に表示し、訂正すべき新たな振込みデータの入力に応じて振込みデータ記憶部７の対応する振込みデータを更新し、指定された振込みデータの訂正を行う。表示制御部４は、最終画面に対して確認の旨の指示入力があった場合に全体制御部９に振込み動作の制御を渡す。【選択図】図１
2004127306.tif 000002
【特許請求の範囲】
【請求項１】
　利用者の所望の金融取引を実行する自動取引装置において、
　取引に伴うガイダンスと訂正キーと前操作キーとを表示する表示部と、
　前記ガイダンスの表示時において前記訂正キーが押下されたとき入力済みのデータを訂正し、前記前操作キーが押下されたとき前の操作へ戻る制御を行う制御部と
を有し、前の操作へ戻った表示でも前記前操作キーを表示することを特徴とする自動取引装置。
【請求項２】
　利用者の所望の金融取引を、利用者に複数の項目のデータを入力させて実行する自動取引装置において、
　金融取引に伴うガイダンスと訂正キーを表示する表示部と、
　全項目が入力される前の途中段階を含む所定の段階におけるガイダンスの表示時において前記訂正キーが押下されたとき、利用者がそれまでに入力した項目のデータの内の任意の選択した入力済みの項目のデータの訂正を行わせる制御部と
　を有することを特徴とする自動取引装置。
【請求項３】
　表示部に利用者に対して操作誘導画面を表示し、金融取引を行う自動取引装置の制御方法において、
　表示部に、利用者の操作に応じて複数の操作誘導画面を遷移するように表示するステップと、
　前記操作誘導画面の表示は、利用者に対する金融取引を行うための操作を誘導する表示と、確認キーおよび前操作キーの表示を含む、
　前記確認キーの表示がある前記操作誘導画面の表示時、前記確認キーへの押下に応答して金融取引の次の操作誘導画面の表示に遷移するステップと、および
　前記前操作キーの表示がある前記操作誘導画面の表示時、前記前操作キーへの押下に応じて前の操作の前記操作誘導画面を表示するステップと、
　からなることを特徴とする自動取引装置の制御方法。
【発明の詳細な説明】
【技術分野】
【０００１】
　本発明は、振込み処理方法およびその振込み処理機能を有する自動取引装置（以下、「ＡＴＭ」という）に関し、特に振込み処理機能を有するＡＴＭ等における、多数の項目の入力が必要な取引の誤入力防止および訂正方法を改善したＡＴＭおよびそれを用いた振込み制御方法に関する。
【背景技術】
【０００２】
　従来の振込み処理機能を有するＡＴＭでは、利用者（以下、「利用客」という）が振込みに必要な項目のデータを入力する際、表示部には、項目入力誘導画面と、現在入力中のデータの内容が表示される。なお、この種の装置として関連するものには、例えば、特開昭６１−１２１１９２号公報に開示された装置が挙げられる。
【０００３】
　また、特開昭６１−２２９１８６号公報には、利用客が振込みに必要な項目のデータを入力する際、取引申込み用紙に記入された取引情報をＡＴＭ側で読取り表示し、訂正を行う場合は、上述の表示された入力項目の訂正を行うことを可能とした装置が開示されている。
【０００４】
【特許文献１】特開昭６１−１２１１９２号公報
【０００５】
【特許文献２】特開昭６１−２２９１８６号公報
【発明の開示】
【発明が解決しようとする課題】
【０００６】
　上記従来技術のうち、前者の装置は、データ入力時における既入力項目データ参照の必要性について配慮がなされておらず、誤入力を発生し易いという問題を有するものであった。また、上記従来技術の後者の装置は、利用者による手入力データの訂正時、特定の項目のみの訂正が容易でないという問題があった。
【０００７】
　本発明は、上記事情に鑑みてなされたもので、その目的とするところは、従来の技術における上述の如き問題を解消し、振込み取引時間、特に誤入力による振込みデータの結果を確認できるＡＴＭおよびそれを利用した振込み制御方法を提供することにある。
【課題を解決するための手段】
【０００８】
　上記目的を達成するため、本発明のＡＴＭは、特に、データを入力する途中の段階であってもそれまでに入力した振込データを表示することを特徴としている。この特徴により、利用客が既入力データを確認しながらデータ入力を行うため、誤入力を減少させることができる。また、利用客が既入力項目の訂正を行う場合には、表示された既入力データの中から訂正する項目を選択することにより、誤入力項目訂正の操作時間を短縮することができるという効果がある。
【発明の効果】
【０００９】
　本発明によれば、入力の途中で、既に入力した振込みデータの内容を確認してから、以降の振込みデータの入力を行うことができるので、誤入力を減少させることができる。また、既入力項目データの訂正を行う場合には、表示されている既入力振込みデータ中から訂正したい項目を選択することができるので、訂正時間を短縮することが可能となる。
【発明を実施するための最良の形態】
【００１０】
　以下、本発明の実施例を、図面により詳細に説明する。図１は、本発明の一実施例を示すＡＴＭの構成図である。本実施例に示すＡＴＭ１は、利用客がデータを入力する入力部６，該入力部６から入力されたデータを読取る読取り部８，利用客の操作を誘導する画面を表示する表示部３，該表示部３に表示する誘導画面データを記憶する画面記憶部２，上記読取り部８で読取った振込みデータを記憶する振込みデータ記憶部７，上記画面記憶部２が記憶した誘導画面データと振込みデータ記憶部７が記憶した振込みデータを合成する画面編集部５，上記表示部３を制御する表示制御部４，取引全体を制御する全体制御部９，紙幣および硬貨の入出金を行う紙幣・硬貨入出金部１１、カードおよび通帳の読取り・書込みおよび明細票の印字を行うカード・通帳読取り印字部１２，中央処理装置１３との通信を制御する通信制御部１０により構成されており、利用客が、表示部３に表示される操作誘導画面に従い、入力部６を操作することにより、金融取引を行う装置である。
【００１１】
　図２は、本実施例における振込み取引時の操作誘導画面の一例を示すものであり、金融機関名表示エリア１５，支店名表示エリア１６，預金種目表示エリア１７，口座番号表示エリア１８，振込み先氏名表示エリア１９，依頼人氏名表示エリア２０，依頼人電話番号表示エリア２１，訂正キーエリア２２を含む振込みデータ表示エリア１４と、確認キーエリア２４を含む操作誘導画面表示エリア２３により構成される。
【００１２】
　図３および図４は、本実施例における振込み取引時の振込みデータ入力のフローチャートである。以下、図１〜図４に基づいて、本実施例の動作を説明する。利用客が、表示部３に表示された操作誘導画面に従い、入力部６により、現金振込み取引を選択すると、金融機関名選択画面が表示部３に表示される。利用客が、希望する金融機関名を、該選択画面から選択し、入力部６から入力すると、読取り部８は該データを読取り、振込みデータ記憶部７に記憶する（ステップ４１）。
【００１３】
　表示制御部４は、画面編集部５により、上で入力された金融機関名データを、振込みデータ記憶部７から読出して、表示部３の振込みデータ表示エリア１４内の金融機関名表示エリア１５に表示し、また、支店名選択画面データを画面記憶部２から読出し、表示部３の操作誘導画面表示エリア２３に表示する。利用客が、希望する支店名を、該選択画面から選択し、入力部６から入力すると、読取り部８は該データを読取り、振込みデータ記憶部７に記憶する（ステップ４２）。
【００１４】
　表示制御部４は、画面編集部５により、上で入力された金融機関名データと支店名データとを、振込みデータ記憶部７から読出して、それぞれ、表示部３の振込みデータ表示エリア１４内の金融機関名表示エリア１５，支店名表示エリア１６に表示し、また、預金種目選択画面データを画面記憶部２から読出し、表示部３の操作誘導画面表示エリア２３に表示する。以下、上と同様に、希望する預金種目が選択され、振込みデータ記憶部７に記憶される（ステップ４３）。
【００１５】
　表示制御部４は、同様に、上で入力された金融機関名データと支店名データおよび預金種目データを、振込みデータ記憶部７から読出して、それぞれ、表示部３の振込みデータ表示エリア１４内の該当エリアに表示し、また、口座番号入力画面データを画面記憶部２から読出し、表示部３の操作誘導画面表示エリア２３に表示する。利用客が、希望する口座番号を入力部６から入力すると、読取り部８は該データを読取り、振込みデータ記憶部７に記憶する。表示制御部４は、画面編集部５により、上で入力した口座番号データを、振込みデータ記憶部７から読出して、表示部３の振込みデータ表示エリア１４内の口座番号表示エリア１８に表示する。表示部３に表示された口座番号を確認した利用客が、操作誘導画面表示エリア２３に表示された「最後に 確認 を押してください」の誘導に従い、入力部６により、確認キーエリア２４を入力する（ステップ４４）。
【００１６】
　以下、同様に、前記金融機関名データ，支店名データ，預金種目データ，口座番号データを、表示部３の振込みデータ表示エリア１４内の該当エリアに表示し、振込み先氏名入力画面を操作誘導画面表示エリア２３に表示し、振込み先氏名の入力により、振込み先氏名データを、振込みデータ記憶部７に記憶される。利用客は、表示内容を確認して、確認キーエリア２４を入力する（ステップ４５）。
【００１７】
　同様に、前記金融機関名データ，支店名データ，預金種目データ，口座番号データ，振込み先氏名データを、表示部３の振込みデータ表示エリア１４内の該当エリアに表示し、依頼人氏名入力画面を操作誘導画面表示エリア２３に表示し、依頼人氏名の入力により、依頼人氏名データを、振込みデータ記憶部７に記憶される。利用客は、確認キーエリア２４を入力する（ステップ４６）。
【００１８】
　以下も同様に、前記金融機関名データ，支店名データ，預金種目データ，口座番号データ，振込み先氏名データ，依頼人氏名データを、表示部３の振込みデータ表示エリア１４内の該当エリアに表示し、依頼人電話番号入力画面を操作誘導画面表示エリア２３に表示し、依頼人電話番号の入力により、依頼人電話番号データを、振込みデータ記憶部７に記憶される。利用客は、確認キーエリア２４を入力する（ステップ４７）。
【００１９】
　全体制御部９は、振込みデータ記憶部７のデータを、通信制御部１０を介して中央処理装置１３に送受信して、上記データに基づく取引が可能であることを確認する（ステップ４８）。取引が可能である場合、表示部３に振込みデータ記憶部７のデータを表示し、利用客の確認を促がす。振込みデータの内容を確認した利用客は、入力部６から確認を入力し、これにより振込みデータの入力を終了する（ステップ４９）。なお、上述の振込みデータ記憶部７内のデータは、取引成立時、クリアされる。
【００２０】
　図５は、本実施例における振込み取引時の振込みデータ訂正動作のフローチャートである。以下、これに従って、振込みデータ訂正の動作について説明する。今、依頼人氏名の入力が終わり、利用客が確認を入力したものとする（前記ステップ４６）。振込みデータ記憶部７には、前記金融機関名データ，支店名データ，預金種目データ，口座番号データ，振込み先氏名データ，依頼人氏名データが記憶され、上記振込みデータが振込みデータ表示エリア１４内の該当エリアに、また、依頼人電話番号入力画面が操作誘導画面表示エリア２３に表示される。
【００２１】
　ここで、利用者が、振込み先氏名を訂正する場合は、入力部６から、振込みデータ表示エリア１４内の訂正キーエリア２２を入力した後、振込み先氏名表示エリア１９を選択し、入力する（ステップ５７）。
【００２２】
　表示制御部４は、依頼人電話番号入力画面で訂正が選択されたことを記憶し、前記金融機関名データ，支店名データ，預金種目データ，口座番号データ，振込み先氏名データ，依頼人氏名データを、振込みデータ表示エリア１４に、また、振込み先氏名入力画面を、操作誘導画面表示エリア２３に表示する。利用客が、訂正したい振込み先氏名を入力部６から入力すると、読取り部８が該データを読取り、振込みデータ記憶部７のデータを更新する。表示制御部４は、該振込み先氏名データを振込みデータ記憶部７から読出し、振込み先氏名表示エリア１９の表示データを更新する。なお、ここでは、上記更新を重ね書きによる如く説明したが、訂正対象として選択されたデータを消去するようにしても良い（ステップ５５）。
【００２３】
　利用客が確認を入力すると、表示制御部４は、訂正が選択されたときに記憶した依頼人電話番号入力画面を、操作誘導画面表示エリア２３に表示する（ステップ４７）。以降の手順は、図３、図４の説明と同じである。
【００２４】
　上記実施例によれば、ＡＴＭにより振込み取引を行う際、利用客が、既に入力した振込みデータの内容を確認しながら以降の振込みデータの入力を行うことができるので、誤入力を減少させることが可能である。また、既入力項目データの訂正を行う場合には、表示部に表示されている既入力振込みデータ中から、訂正したい項目を選択することができるので、訂正時間を短縮することが可能である。上記実施例は一例として示したものであり、本発明はこれに限定されるものではない。
【図面の簡単な説明】
【００２５】
【図１】本発明の一実施例を示すＡＴＭ構成図である。
【図２】本発明の一実施例を示す振込み取引時の操作誘導画面の図である。
【図３】本発明による振込み取引時の前半部分の振込みデータ入力フローチャートである。
【図４】本発明による振込み取引時の後半部分の振込みデータ入力フローチャートである。
【図５】本発明の一実施例を示す振込み取引時の振込みデータ訂正の動作フローチャートである。
【符号の説明】
【００２６】
１…ＡＴＭ、２…画面記憶部、３…表示部、４…表示制御部、５…画面編集部、６…入力部、７…振込みデータ記憶部、８…読取り部、９…全体制御部、１０…通信制御部、１１…紙幣・硬貨入出金部、１２…カード・通帳読取り印字部、１３…中央処理装置、１４…振込みデータ表示エリア、１５…金融機関名表示エリア、１６…支店名表示エリア、１７…預金種目表示エリア、１８…口座番号表示エリア、１９…振込み先氏名表示エリア、２０…依頼人氏名表示エリア、２１…依頼人電話番号表示エリア、２２…訂正キーエリア、２３…操作誘導画面表示エリア、２４…確認キーエリア。
【図１】
2004127306.tif 000003
【図２】
2004127306.tif 000004
【図３】
2004127306.tif 000005
【図４】
2004127306.tif 000006
【図５】
2004127306.tif 000007